(57)【要約】【課題】地中から立設させた鋼管製のガス配管と、ガスメータ支持装置との接続作業を容易にするとともに、美観を損ねることがなく、設置スペースを狭くすることのできるガスメータ支持装置を提供する。【解決手段】左右に並んで流入管１０と流出管２０を設け、流入管１０および流出管２０の流入出口が上下方向に設けられ、流入管１０の出口と流出管２０の入口とは、それぞれガスメータのガス導入口Ｍａとガス導出口Ｍｂに接続される。流入管１０の入口部および流出管２０の出口部には、流入管１０の入口部および流出管２０の出口部と回動自在に接続されたクランク状回動継手部材３１、３３を設ける。【選択図】図１
2009063524.tif 000002
【特許請求の範囲】
【請求項１】
左右に並んで流入管と流出管を設け、該流入管および該流出管の流入出口が上下方向に設けられ、前記流入管の出口と前記流出管の入口とは、それぞれガスメータのガス導入口とガス導出口に接続されるガスメータ支持装置において、
前記流入管の入口部および前記流出管の出口部には、前記流入管の入口部および前記流出管の出口部と回動自在に接続されたクランク状回動継手部材が設けられていることを特徴とするガスメータ支持装置。
【発明の詳細な説明】
【技術分野】
【０００１】
本発明は、ガスメータを設置するために供されるガスメータ支持装置に関する。
【背景技術】
【０００２】
一般に都市ガス等のガス供給量を計測するガスメータは、戸建住宅においては家屋外壁に沿って立ち上げられたガス配管に接続、設置され、また集合住宅においては各階に設けられたパイプシャフト内に設置される。近年これらのガスメータは、施工性が改良されユニット化された各種の取付装置によって支持されている。
【０００３】
例えば、特許文献１には、装置本体と、この装置本体にそれぞれ支持された一対の接続管とを備え、上記一対の接続管の各一端部にガスメータの導入口と導出口とがそれぞれ接続され、各他端部にガス管がそれぞれ接続されたガスメータの支持装置において、上記装置本体を、固定部と、この固定部に水平方向へ位置調節可能に設けられた可動部とから構成し、この可動部に上記一対の接続管を設けることが記載されている。また、上記一対の接続管の一端部と他端部とがそれぞれの一端部の軸線と直交する方向へ互いに離れるように、上記一対の接続管が形成されており、上記一対の接続管が、それぞれの一端部の軸線を上下方向に向けた状態で上記可動部の一側部と他側部とに左右に並んで配置され、上記一対の接続管の各一端部を中心として各他端部が水平方向へ回動し得るように、各一端部が上記可動部に回動可能に設けられ、上記一対の接続管は、それぞれの両端部が左右方向に並んだ展開位置と、それぞれの両端部が前後方向に並んだ平行位置との間を回動可能であることも記載されている。
【０００４】
一方、ガスメータは従来、ガスの導入出口がガスメータの上部に設けられた膜式ガスメータが一般的であったが、超音波の伝播時間を利用してガス流量を計測する超音波式ガスメータが開発され、そのガスの導入出口はガスメータの下方に設けられる見込みであり、美観に優れ、コンパクトなガスメータ支持装置が求められている。
【０００５】
このようにガスの導入出口が下方に設けられるガスメータの支持装置として、例えば、特許文献２には、水平面の左右に口金接続口を形成し、中央に透孔を設け、前記水平面の後端を下方に折り曲げて取付け面を形成するとともに、前記口金接続口の一方の下面にはメータコックを、他方の口金接続口の下面には試験口を一体に取付けてなる接続ユニットと、支持板の透孔を介してガスメータの底部に設けたネジ孔に螺合せられる固定ネジとからなるガスメータ支持金具が記載されている。
【０００６】
【特許文献１】特開平１１−１６０１２５号公報
【特許文献２】実開平４−１２６１２８号公報
【発明の開示】
【発明が解決しようとする課題】
【０００７】
しかしながら、特許文献２に記載の技術は、ガスメータとの接続が容易で美観に優れるコンパクトなガスメータ支持装置ではあるが、地中から立設させた鋼管製のガス配管の立設巾が一定でない場合や、ガスメータ支持装置を建物等の壁面に接続する際の距離が一定でない場合には、そのガス配管との接続が困難であるという問題点がある。
【０００８】
一方、特許文献１は、水平方向への位置調整や回動可能とした構成によって、ガス配管の立設巾や壁面との接続距離を自在に調整可能であるが、その自由度がある分、調整が煩わしく、取付け作業に手間取るという問題があった。またガス導入管とガス導出管との回動角度広いほど、ガス栓の開閉位置が相対的に変わることとなるので、美観を損ねてしまうとともに、ガス栓の開閉を誤認識するという問題点があった。
【０００９】
また、図５に示すように、従来の膜式ガスメータ１００は、上部にガスの出入口が設けられ、地上から立ち上げられた流入ガス管Ｐ１及び流出ガス管Ｐ２とは、略Ｕ字型のガスメータ取付ユニット１１０で接続され、ガスメータ取付ユニット１１０が壁面Ｋ３に固定されていた。流入ガス管Ｐ１及び流出ガス管Ｐ２は、建物等の基礎部Ｋ１や建物周囲の縁石Ｋ２を回避して立ち上げざるを得ず、ガスメータ１００は更に壁面Ｋ３から遠ざかって設置されるために、その分ガスメータの設置スペースが大きくなってしまうという問題があった。
【００１０】
即ち、本発明は、地中から立設させた鋼管製のガス配管と、ガスメータ支持装置との接続作業を容易にするとともに、美観を損ねることがなく、設置スペースを狭くすることのできるガスメータ支持装置を提供することを目的としている。
【課題を解決するための手段】
【００１１】
本発明は、左右に並んで流入管と流出管を設け、該流入管および該流出管の流入出口が上下方向に設けられ、前記流入管の出口と前記流出管の入口とは、それぞれガスメータのガス導入口とガス導出口に接続されるガスメータ支持装置において、前記流入管の入口部および前記流出管の出口部には、前記流入管の入口部および前記流出管の出口部と回動自在に接続されたクランク状回動継手部材が設けられているガスメータ支持装置である。
【発明の効果】
【００１２】
本発明によれば、流入管の入口部および流出管の出口部に、前記流入管の入口部および前記流出管の出口部と回動自在に接続されたクランク状回動継手部材を設けているので、ガス栓や試験口の方向が正面から変わることなく立設巾の異なるガス配管との接続が可能である。また、クランク状継手部材は、ガスメータの前方にまで回動させることができるので、その分ガスメータは壁面に近接して設置することができるので、ガスメータの設置スペースをコンパクトにすることができる。
【発明を実施するための最良の形態】
【００１３】
本発明の最良の形態を図１から図４を用いて説明する。図１は本発明のガスメータ支持装置の一実施例の正面図を、図２は本発明におけるクランク状回動継手部材の断面図を、図３は本発明のガスメータ支持装置の設置の形態を示す模式図を、図４は本発明のガスメータ支持装置の別の実施例の正面図を示している。
【００１４】
図１に示したガスメータ支持装置１は、流入管１０と流出管２０と、流入管１０と流出管２０とを一体に連結した締結部３と、建物等の壁面に固定する固定金具４０とから主になっている。そして締結部３と固定金具４０とはボルト・ナット等の締結部材５で固定されている。
【００１５】
流入管１０は、ガスを流動・遮断するガス栓１１が、その操作ハンドル１１ａを正面に向くように備えており、このガス栓１１の下流側は、ユニオン構造の流入管出口部１５が形成され、ガスメータＭのガス導入口Ｍａと接続される。一方、ガス栓１１の上流側には、流入管入口部１３が形成され、クランク状回動継手部材３１と回動自在に連結されている。
【００１６】
流出管２０は、試験口２１が正面を向くように備えており、この試験口２１の上流側は、ユニオン構造の流出管入口部２５が形成され、ガスメータＭのガス導出口Ｍｂと接続される。一方、試験口２１の下流側には、流出管出口部２３ａが形成され、クランク状回動継手部材３３と回動自在に連結されている。また、必要に応じて、流出管２０から流出管分岐出口部２３ｂを形成させ、フレキシブル管等を接続して、ガス機器へガスを供給するようにしてもよい。
また、試験口２１は通常プラグで閉塞させておくが、予め検圧用プラグを具備させておいてもよい。
【００１７】
そして、締結部３は流入管１０と流出管２０とを互いに所定の距離（即ち、ガスメータＭのガス導入口Ｍａと導出口Ｍｂとの間隔：例えば１３０ｍｍ）だけ離れた状態に連結している。流入管１０と、流出管２０と、締結部３は一体に設けてもよいし、別体の部材として、連結してもよい。
【００１８】
クランク状回動継手部材３１、３３は、図２に示すように、水平方向に流路３５を有する本体から上方向へ回動自在部３１ａ、３３ａを、下方向へガス管接続部３１ｂ、３３ｂを形成させたクランク形状となっている。そして、回動自在部３１ａ、３３ａは、Ｏリング４１で気密にシールし、止輪４３で回動自在部３１ａ、３３ａと、流入管入口部１３又は流出管出口部２３ａとを回動自在に接続している。また、回動自在部３１ａ、３３ａの端部には、高温になると膨張する耐火膨張パッキン４５を設けている。
【００１９】
一方、ガス管接続部３１ｂ、３３ｂの内周面には、テーパネジ３７が形成されている。このテーパネジにガス管を直接螺合接続しても良いし、必要に応じて管継手を接続することもできる。
【００２０】
このように構成した、ガスメータ支持装置１は、図３に示すように、クランク状回動継手部材３１、３３を回動させて、ガス管接続部３１ｂ、３３ｂを正面側に配置することができる。例えば、建物の基礎部Ｋ１や縁石Ｋ２との干渉によってガス管Ｐ１、Ｐ２が建物壁面から離れて立設せざるをえない場合においても、ガスメータＭ自体は、建物壁面に近接して設置することができるので、壁面と強固に固定することができるとともに、ガスメータＭがガス管Ｐ１、Ｐ２よりも建物に近接して設置できるので、設置スペースをコンパクトにすることができる。
更に、クランク状回動継手部材３１、３３を回動させても、正面に配置したガス栓１１および試験口２１の位置が変わることがないので、ガス栓の開閉をご認識する虞がなく、また美観に優れたガスメータ支持装置とすることができる。
【００２１】
次に、本発明の別の形態であるガスメータ支持装置１Ａについて、図４を用いて説明する。なお、図１と同一の構成は、同一の符号を付して、その説明を省略する。
【００２２】
図４に示すように、クランク状回動継手部材３１Ａ、３３Ａは、Ｓ状の形態とすることもできる。そして、回動自在部３１ａ、３３ａと、ガス管接続部３１ｂ、３３ｂとのオフセット量は、ガスメータＭのガス導入口Ｍａと導出口Ｍｂとの間隔（例えば１３０ｍｍ）の１／２からガス管接続部３１ｂ、３３ｂの外半径を差し引いた値以下とすることが好ましい。
オフセット量を前記のように規定することによって、クランク状回動継手部材３１Ａ、３３Ａは、３６０°回動自在となり、ガス管Ｐ１、Ｐ１の立設状態が、いかような場合にもガス管の立設巾に調節して接続することができる。
【００２３】
なお、ガスメータ支持装置１、１Ａのガス管接続部３１ｂ、３３ｂの先端に回動自在継手を接続しておけば、ガス管との接続は更に容易となる。
【図面の簡単な説明】
【００２４】
【図１】本発明のガスメータ支持装置の一実施例の正面図である。
【図２】本発明におけるクランク状回動継手部材の断面図である。
【図３】本発明のガスメータ支持装置の設置の形態を示す模式図である。
【図４】本発明のガスメータ支持装置の別の実施例の正面図である。
【図５】従来のガスメータ支持装置の設置の形態を示す模式図である。
【符号の説明】
【００２５】
１、１Ａ： ガスメータ支持装置、３：締結部、５：締結部材、
１０：流入管、１１：ガス栓、１１ａ：操作ハンドル、１３：流入管入口部、１５：流入管出口部、
２０：流出管、２１：試験口、２３ａ、：流出管出口部、２３ｂ：流出管分岐出口部、２５：流出管入口部、
３１、３１Ａ、３３、３３Ａ：クランク状回動継手部材、３１ａ、３３ａ：回動自在部、３１ｂ、３３ｂ：ガス管接続部、３５：流路、３７：テーパネジ、
４０：固定金具、４１：Ｏリング、４３：止輪、４５：耐火膨張パッキン、
１００：膜式ガスメータ、１１０：ガスメータ取付ユニット、
Ｋ１：基礎部、Ｋ２：縁石、Ｋ３：壁面、
Ｍ：ガスメータ、Ｍａ：ガス導入口、Ｍｂ：ガス導出口、
Ｐ１：流入ガス管、Ｐ２：流出ガス管、
【図１】
2009063524.tif 000003
【図２】
2009063524.tif 000004
【図３】
2009063524.tif 000005
【図４】
2009063524.tif 000006
【図５】
2009063524.tif 000007